(57)【特許請求の範囲】
【請求項１】
原稿を読み取る原稿読取手段と、
原稿の読み取り条件または読み取られた画像データの処理条件を設定する処理条件設定手段と、
前記原稿読取手段で読み取られた画像データを記憶する第１記憶手段と、
前記第１記憶手段に記憶された画像データを前記処理条件設定手段で設定された処理条件に基いて画像処理を施す画像処理手段と、
前記画像処理手段で画像処理された画像データを記憶する第２記憶手段と、
前記第２記憶手段に記憶された画像データに基いて画像を形成する画像形成手段と、
原稿載置台上に載置された原稿、又は原稿排紙台上に排出された原稿が取り出されたか否かの検知結果に基づいて画像形成の済んだ原稿が操作されたか否かを認識する原稿変更認識手段と、を備え、
前記原稿変更手段により前記画像形成の済んだ原稿が操作されていないと認識されているときに、前記処理条件設定手段で設定されている処理条件が変更された場合は、前記第１記憶手段に既に記憶されている画像データを新たに変更された処理条件に基いて画像処理を施して前記画像形成手段により画像を形成し、
前記原稿変更手段により前記画像形成の済んだ原稿が操作されたと認識されているときに、前記処理条件設定手段で設定されている処理条件が変更された場合は、前記原稿読取手段により新たな原稿の読み取りを行い、読み取った画像データを第１の記憶手段に記憶し、該第１記憶手段に新たに記憶した画像データを新たに変更された処理条件に基いて画像処理を施して前記画像形成手段により画像を形成することを特徴とする画像形成装置。
【請求項２】
請求項１記載の画像形成装置において、前記第１記憶手段または前記第２記憶手段に既に記憶されている画像データを消去させるか、または、前記第１記憶手段または前記第２記憶手段に既に記憶されている画像データに基いた画像の再形成を禁止させる再形成禁止手段を備え、
前記再形成禁止手段は、前記原稿変更手段により前記画像形成の済んだ原稿が操作されたと認識されているときに、前記第１記憶手段または前記第２記憶手段に既に記憶されている該原稿に対応した画像データを消去させるか、または、前記画像形成手段により前記原稿に対応した画像の再形成を禁止させることを特徴とする画像形成装置。
【請求項３】
請求項２記載の画像形成装置において、原稿排出場所に原稿が存在するか否かを検知する原稿排出検知手段を備え、前記再形成禁止手段は、画像形成の済んだ原稿が原稿排出場所に存在しないことを前記原稿排出検知手段によって検知されることによって、前記第１記憶手段または前記第２記憶手段に既に記憶されている該原稿に対応した画像データを消去させるか、または、該原稿に対応した画像の再形成を禁止させることを特徴とする画像形成装置。
【請求項４】
請求項２記載の画像形成装置において、前記再形成禁止手段は、画像形成の済んだ原稿を操作するときに操作する必要のある器具を操作することによって、前記第１記憶手段または前記第２記憶手段に既に記憶されている該原稿に対応した画像データを消去させるか、または、該原稿に対応した画像の再形成を禁止させることを特徴とする画像形成装置。
【請求項５】
請求項４記載の画像形成装置において、原稿を操作するときに操作する必要のある器具とは、原稿押え板であることを特徴とする画像形成装置。
【発明の詳細な説明】
【０００１】
【発明の属する技術分野】
本発明は、原稿を読み取り、読み取った原稿の画像データに画像処理を施し、画像を形成するデジタル電子写真複写機のような画像形成装置に関し、特に試し印刷を行なう画像形成装置に関するものである。
【０００２】
【従来の技術】
近年、デジタル技術の進歩により、人間の視覚に訴える高精細の画像を扱う機会が増えてきている。また、カラー画像に画像処理を施す機会も増えてきている。そのため、複写機においても多様な要求をこなすデジタル複写機が広く普及し、原稿を忠実に再現させるために多くの機能が取り入れられている。例えば、特開平１０−４４６７号公報によると、試しコピーの機能が備わっていて、試しコピーモードに設定されている原稿を読み取って、１部目のコピーを出力した結果から判断し、画像形成モードの条件を変更した場合に再び原稿を読み取らせること無く、記憶手段に記憶させた試しコピーモードの画像データを引き出してきて、画像の形成が行われるようになっている。
【０００３】
【発明が解決しようとする課題】
しかしながら、上記の特開平１０−４４６７号公報の技術によっても、コピーを開始する前に試しコピーモードに設定する必要があり、その操作をせずに通常のコピー機能を用いてコピーを行なうと、印刷された用紙を見て設定の不備や調整不足に気付いた場合には改めて原稿から読み取らせ、コピーを開始する必要があった。
そこで、本発明が解決しようとする課題は、試しコピーモードと関係なく、コピー操作を行なった後に設定の不備や調整不足に気付いた場合でも、改めて原稿を読み取らせることなく、既に記憶されている原稿の画像データに対し新たな設定条件による画像の形成を可能とした画像形成装置を提供することにある。
【０００４】
【課題を解決するための手段】
上記課題を解決するために、請求項１記載の画像形成装置の発明では、原稿を読み取る原稿読取手段と、原稿の読み取り条件または読み取られた画像データの処理条件を設定する処理条件設定手段と、前記原稿読取手段で読み取られた画像データを記憶する第１記憶手段と、前記第１記憶手段に記憶された画像データを前記処理条件設定手段で設定された処理条件に基いて画像処理を施す画像処理手段と、前記画像処理手段で画像処理された画像データを記憶する第２記憶手段と、前記第２記憶手段に記憶された画像データに基いて画像を形成する画像形成手段と、原稿載置台上に載置された原稿、又は原稿排紙台上に排出された原稿が取り出されたか否かの検知結果に基づいて画像形成の済んだ原稿が操作されたか否かを認識する原稿変更認識手段と、を備え、前記原稿変更手段により前記画像形成の済んだ原稿が操作されていないと認識されているときに、前記処理条件設定手段で設定されている処理条件が変更された場合は、前記第１記憶手段に既に記憶されている画像データを新たに変更された処理条件に基いて画像処理を施して前記画像形成手段により画像を形成し、前記原稿変更手段により前記画像形成の済んだ原稿が操作されたと認識されているときに、前記処理条件設定手段で設定されている処理条件が変更された場合は、前記原稿読取手段により新たな原稿の読み取りを行い、読み取った画像データを第１の記憶手段に記憶し、該第１記憶手段に新たに記憶した画像データを新たに変更された処理条件に基いて画像処理を施して前記画像形成手段により画像を形成することを特徴とするものである。
また、請求項２記載の発明では、請求項１記載の画像形成装置において、前記第１記憶手段または前記第２記憶手段に既に記憶されている画像データを消去させるか、または、前記第１記憶手段または前記第２記憶手段に既に記憶されている画像データに基いた画像の再形成を禁止させる再形成禁止手段を備え、前記再形成禁止手段は、前記原稿変更手段により前記画像形成の済んだ原稿が操作されたと認識されているときに、前記第１記憶手段または前記第２記憶手段に既に記憶されている該原稿に対応した画像データを消去させるか、または、前記画像形成手段により前記原稿に対応した画像の再形成を禁止させることを特徴とするものである。
また、請求項３記載の発明では、請求項２記載の画像形成装置において、原稿排出場所に原稿が存在するか否かを検知する原稿排出検知手段を備え、前記再形成禁止手段は、画像形成の済んだ原稿が原稿排出場所に存在しないことを前記原稿排出検知手段によって検知されることによって、前記第１記憶手段または前記第２記憶手段に既に記憶されている該原稿に対応した画像データを消去させるか、または、該原稿に対応した画像の再形成を禁止させることを特徴とするものである。
また、請求項４記載の発明では、請求項２記載の画像形成装置において、前記再形成禁止手段は、画像形成の済んだ原稿を操作するときに操作する必要のある器具を操作することによって、前記第１記憶手段または前記第２記憶手段に既に記憶されている該原稿に対応した画像データを消去させるか、または、該原稿に対応した画像の再形成を禁止させることを特徴とするものである。
また、請求項５記載の発明では、請求項４記載の画像形成装置において、原稿を操作するときに操作する必要のある器具とは、原稿押え板であることを特徴とするものである。
【０００５】
【作用】
上記のように構成された請求項１の画像形成装置の発明は、原稿変更手段により画像形成の済んだ原稿が操作されていないと認識されているときに、処理条件設定手段で設定されている処理条件が変更された場合は、第１記憶手段に既に記憶されている画像データを新たに変更された処理条件に基いて画像処理を施して画像形成手段により画像を形成し、原稿変更手段により画像形成の済んだ原稿が操作されたと認識されているときに、処理条件設定手段で設定されている処理条件が変更された場合は、原稿読取手段により新たな原稿の読み取りを行い、読み取った画像データを第１の記憶手段に記憶し、第１記憶手段に新たに記憶した画像データを新たに変更された処理条件に基いて画像処理を施して画像形成手段により画像を形成するようになっているので、通常のコピー機能を用いてコピーを行なった後に、設定の不備や調整不足に気付いて再度設定し直してコピーを行なうときも、改めて原稿を読み取ることなく、既に記憶されている原稿の画像データに対し新たな設定条件による画像の形成が可能となって、電力の無駄使いと原稿の劣化を防止した上、画像形成時間の短縮に繋がらせることが出来る。
また、請求項２の発明は、請求項１のように構成された画像形成装置の発明に加えて、再形成禁止手段によって、原稿変更手段により画像形成の済んだ原稿が操作されたと認識されているときに、第１記憶手段または第２記憶手段に既に記憶されている原稿に対応した画像データを消去させるか、または、画像形成手段により原稿に対応した画像の再形成を禁止させるようになっているので、記憶されている原稿の画像データからの再コピーを防止して機密保持を図ることが出来る。
【０００６】
また、請求項３の発明は、請求項２のように構成された画像形成装置の発明に加えて、再形成禁止手段は、画像形成の済んだ原稿が原稿排出場所に存在しないことを原稿排出検知手段によって検知されることによって、第１記憶手段または第２記憶手段に既に記憶されている該原稿に対応した画像データを消去させるか、または、該原稿に対応した画像の再形成を禁止させるようになっているので、原稿排出場所から取り去った原稿に対して記憶部の残存データからの再コピーを防止することが出来る。
また、請求項４の発明は、請求項２のように構成された画像形成装置の発明に加えて、再形成禁止手段は、画像形成の済んだ原稿を操作するときに操作する必要のある器具を操作することによって、第１記憶手段または第２記憶手段に既に記憶されている該原稿に対応した画像データを消去させるか、または、該原稿に対応した画像の再形成を禁止させるようになっているので、通常の操作の繰返しの中で記憶部の残存データからの再コピーを確実に防止することが出来る。
また、請求項５の発明は、請求項４のように構成された画像形成装置の発明に加えて、原稿を操作するときに操作する必要のある器具を、原稿押え板としているので、原稿押え板を持ち上げて原稿を取り出せば、記憶部の残存データからの再コピーを確実に防止することが出来る。
【０００７】
【発明の実施の形態】
次に、本発明の実施の形態を添付図面に基づいて詳細に説明する。図１は画像形成装置として代表的なデジタル複写機２０の主要部を示す側面図である。デジタル複写機２０の動作、機能は公知であるので本発明を理解する上で必要な一般的な概要の説明に留める。図１のデジタル複写機２０の上面には、コンタクトガラス１ａが置かれた読み取り面が設けられており、その上には原稿を自動的に送出する自動原稿送り装置５０が備わっている。また、コンタクトガラス１ａの下には、読み取り面に導かれた原稿を読み取る原稿読取手段である原稿読取部１が存在している。
自動原稿送り装置５０は、原稿台５１と、原稿セット検知センサ５２と、給送ローラ５３と、送りベルト５４と、配送ローラ５５と、排送ローラ５６と、排紙台５７等とを有する。原稿台５１は傾斜しており、ここに原稿束が原稿面を上向きにして載置される。原稿束が正しい位置に載置されると、原稿セット検知センサ５２が原稿の存在を検知して、原稿の給送が可能になる。さらに、後述する操作部２２にあるスタートスイッチ２２ｂ１（図３参照）が押されると、原稿台５１に載置された原稿束の最上位にある原稿が給送ローラ５３により引き出され、送りベルト５４によりコンタクトガラス１ａの定位置まで送られる。さらに、原稿読取部１により原稿の画像が読み取られると、原稿は再び送りベルト５４によって送られ、排送ローラ５６によって排紙台５７へと排紙される。
また、原稿読取部１は、第一走査ユニット１ｂと、第二走査ユニット１ｅと、レンズ１ｊと、ＣＣＤイメージセンサ１ｋ等とを有する。第一走査ユニット１ｂは、コンタクトガラス１ａ上の原稿を露光する露光ランプ１ｃと、原稿で反射した光を第二走査ユニット１ｅへと導くための第一ミラー１ｄとからなり、コンタクトガラス１ａに沿って移動する。第二走査ユニット１ｅは、第二ミラー１ｆと第三ミラー１ｈとを有する。また、第二走査ユニット１ｅは、第一走査ユニット１ｂの走査中に、第一走査ユニット１ｂとＣＣＤイメージセンサ１ｋとの間隔が一定に保たれるように第一走査ユニット１ｂの１／２の走査速度で移動させ、第一ミラー１ｄで反射させた光を第二ミラー１ｆ及び第三ミラー１ｈへと導く。形成する画像の倍率は、レンズ１ｊとＣＣＤイメージセンサ１ｋとを走査方向に平行に移動することによって変更される。
【０００８】
さらに、ＣＣＤイメージセンサ１ｋで読み取られた画像データは、図示しない第１記憶部３に記憶される。第１記憶部３に記憶された画像データは、あらかじめ設定されている画像処理条件に従って画像処理され、画像形成用のデータとして図示しない第２記憶部５に格納され、所定の量が整えられると、画像形成手段である画像形成部６内に存するレザー出力部６ａへ送られる。画像形成部６は、レザー出力部６ａと結像レンズ６ｂとミラー６ｃとが備えられている。レザー出力部６ａには図示しないがレザーダイオードとポリゴンミラー等が備えられており、ポリゴンミラーはモータによって高速の定速回転を行っている。レザーダイオードからは、ＣＣＤイメージセンサ１ｋ等から送り込まれた画像データに基づいたレーザ光が出射され、このレーザ光はポリゴンミラーで偏向されてレザー出力部６ａから出力される。出力されたレーザ光は結像レンズ６ｂを通過し、ミラー６ｃで反射されて、感光体６ｄ面上に集光結像する。
また、感光体６ｄの周囲には、現像器６ｅや図示しない帯電器、及びクリーニングユニット等が設けられており、印刷部６ｆが構成されている。帯電器によって一様に帯電した感光体６ｄ上には、レザー出力部６ａから出力するレーザ光によって静電潜像が書き込まれる。レーザ光は回転するポリゴンミラーで偏向されることによって、感光体６ｄの回転方向である副走査方向と直行する主走査方向に沿って感光体６ｄ上を露光走査し、画像信号のライン単位の記録を行う。レーザ光の走査領域内であって感光体６ｄの一端近傍には、図示しないが光センサが設けられている。この光センサにレーザ光が検知されることによって、主走査方向の画像記録のタイミング制御を行う。主走査に沿った露光は、感光体６ｄの回転速度と記録密度に対応した所定の周期で繰り返される。この静電潜像は、現像器６ｅによって現像され、感光体６ｄの表面にトナー像が形成される。
【０００９】
さらに、感光体６ｄの表面に形成されたトナー像は、搬送ベルト６ｈで搬送される図示しない記録材に転写される。搬送ベルト６ｈは、感光体６ｄの外周面の移動速度と等速度で移動する。また、記録材はデジタル複写機２０の下部に設けられた複数の給紙部である給紙ユニット４０の給紙トレイ４１にサイズ別に収納されており、給紙トレイ４１から引き出されて搬送ユニット４２によって印刷部６ｆに送られる。次に、記録材に転写されたトナー像は、定着ユニット６ｊで記録材に定着される。排紙ユニット４４により原稿排出場所である排紙トレイ４５又は再給紙部である再給紙ユニット４６へ選択的に搬送される。排紙ユニット４４は、分岐爪４７を有しており、分岐爪４７が実線で示された位置にあるときには記録材は排紙トレイ４５へ排紙され、分岐爪４７が点線で示された位置にあるときには再給紙ユニット４６へ排紙される。
再給紙ユニット４６は、両面印刷指定の場合に一方の面が印刷済みの記録材を反転して再給紙するものであり、一方の面にトナー像を定着された記録材は先ず反転搬送路４８に入れられ、再給紙される。給紙ユニット４０又は再給紙ユニット４６から搬送された記録材は、感光体６ｄの上流側に位置するレジストローラ４３から画像データの書き込みとタイミングを合わせて印刷部６ｆへ送り出されて、感光体６ｄ表面のトナー像と記録材の印刷位置が合わせられ、既に印刷済の面と反対面にトナー像が転写される。次に、記録材に転写されたトナー像は、定着ユニット６ｊで記録材に定着され、排紙ユニット４４により排紙トレイ４５に排紙されることは、片面印刷で述べた通りである。
また、図には示されていないが、ハードディスクのような大容量の記憶装置を持っているデジタル複写機２０では、自動原稿送り装置５０の原稿台５１に載置された原稿束総てを読み取って、大容量の記憶装置に記憶することが出来るようになっている。そのような大容量の記憶装置付きのデジタル複写機２０では、複数部のコピーを得るため一度の原稿読み取りで何度でも同じコピーを出力することが可能となっている。
【００１０】
また、図２は、図１における本発明のデジタル複写機２０の斜視図である。ここでは、デジタル複写機２０の外部の概要ついて簡単に述べる。装置に付属するメインスイッチ２１を入れると装置の全体の機能が動作し、いつでも動作可能の状態になる。また、オペレータが装置の操作部２２から原稿の読み取り条件または読み取られた画像データの画像処理条件を設定することが出来る。ここで、本発明のデジタル複写機２０では、操作部２２は図示したように液晶パネル２２ａと操作キー２２ｂとから構成されている。また、図のように原稿押え板２３を開いて原稿をコンタクトガラス１ａ上にセットするか、原稿押え板２３を閉じたままで自動原稿送り装置５０上にセットする。その後、操作部２２の操作キー２２ｂ上にある所定のキーからコピー条件を設定して、スタートキー２２ｂ１（図３参照）を押すとコピー動作が開始する。原稿上の画像データは、給紙トレイ４１のどれか一つから給紙された転写紙に転写され、定着された後、排紙トレイ４５に排出される。また、読み取られた原稿は、自動原稿送り装置５０を用いた場合は図１で記述したように配送ローラ５５と排送ローラ５６によって運ばれて、排紙台５７上に排出される。さらに、原稿押え板２３を開いて原稿をコンタクトガラス１ａ上にセットして読み取った原稿の場合は、読み取り後もセットされた位置のコンタクトガラス１ａ上にある。また、読み取りの終了した原稿が、排紙台５７上に排出される場合には、図示しない原稿排出検知手段８の検知素子によって排紙台５７上の原稿の存在有無が検出可能となっている。また、読み取りの終了した原稿が、コンタクトガラス１ａ上にセットされたままの場合にも、図示しない原稿排出検知手段８の検知素子によってコンタクトガラス１ａ上の原稿の存在有無が検出可能となっている。ここで、原稿排出検知手段８の検知素子としては、例えば、発光素子と受光素子が組み込まれており、排紙台５７またはコンタクトガラス１ａ上にある原稿を発光素子で照射し、原稿が存在した場合、反射光が受光素子で受光出来るようになっている。その他、原稿排出検知手段の検知素子は、排紙台５７またはコンタクトガラス１ａ上にある原稿の重さを検知する検知素子であっても構わない。
【００１１】
また、図３は、上記の図２の操作部２２の主要部を示した図である。図において、操作キー２２ｂから簡単に説明する。スタートキー２２ｂ１は、コピー開始に使用し、キーの押下により原稿の読み取りが開始する。クリア／ストップキー２２ｂ２は、入力した文字や数値を取り消したり、コピー等の中断や中止に用いるキーである。また、テンキー２２ｂ３は、コピー枚数や倍率を入力するのに用いられる。ハイファイコピーキー２２ｂ４は、より良い画質でコピーする際に用いる。プログラムキー２２ｂ５は、よく使用する設定手順を登録したり、呼び出したりするキーである。また、モードクリアキー２２ｂ６は、設定した内容を取り消すのに用いる。割り込みキー２２ｂ７は、コピー中やプリント中に別の機能を割こまさせて動作させるのに用いる。
また、上記の各操作キーの設定状態や、メッセージや、機能のメニュー等を表示させられるように液晶パネル２２ａ上には液晶表示画面２２ａ１が付いている。さらに、液晶表示画面２２ａ１上に表示された機能を選択するために指示表示を左右に移動する指示移動キー２２ａ２があり、機能表示に対応して直ぐ下側に選択対応キー２２ａ３が備わっている。また、原稿画像の種類を選択してきれいな印刷が出来るように原稿種類選択キー２２ａ４があり、印刷濃度を濃くしたり、薄くしたり、又は自動的に調整するように設定するキーとして濃度調整キー２２ａ５が備わっている。
【００１２】
また、図４は、図１における本発明のデジタル複写機２０の主要部を示したブロック図である。本発明の動作を図１〜図３を参考にしながら、図４に基いて説明する。コンタクトガラス１ａ上にセットされた原稿は、操作部２２のスタートキー２２ｂ１等の押下により原稿読取部１によって読み取られ、画像データとして第１記憶部３に記憶される。第１記憶部３に記憶された画像データは、前以って処理条件設定部２によって設定されている処理条件に基き、画像処理手段である画像処理部４によって画像処理が施される。処理条件設定部２で設定される処理条件とは、出力用紙の種類、枚数、サイズ、用紙方向、出力濃度、変倍率、色変換、または原稿の文字や写真等の区別などである。画像処理部４によって画像処理された画像形成用のデータは、第２記憶部５に格納される。さらに、第２記憶部５に格納された画像形成用のデータは、所定の量が整えられると、画像形成手段である画像形成部６により画像形成され出力される。ここで、画像データの記憶場所として第１記憶部３と第２記憶部５と分けているが、同じ記憶部内のそれぞれあらかじめ定められた場所を意味しても構わない。また、画像形成用のデータを記憶する第２記憶部５はブロック単位の記憶部であってもページ単位の記憶部であっても構わない。
次に、原稿をコンタクトガラス１ａ上にセットしたまま、処理条件設定部２に設定されている処理条件の内容を変更し、操作部２２のスタートキー２２ｂ１を押下した場合、原稿変更認識部１１では原稿が操作されていないことを認識して入力切替部１２に伝える。また、設定変更検出部１３は、処理条件設定部２で設定されている処理条件の内容が変更されたことを検知して入力切替部１２にその情報を伝える。入力切替部１２は、それらの情報から原稿を操作せずに処理条件の内容が変更されたことを知ると、原稿から読み取る画像データからでなく、第１記憶部３に記憶されている既に画像形成済の画像データに基いた画像が形成されるように、画像処理部４で画像処理する画像データを切り替える。従って、画像処理部４は、第１記憶部３に記憶された画像データを処理条件設定部２で新たに設定された処理条件に基いて画像処理を施し、画像形成用のデータとして第２記憶部５に格納させる。また、第２記憶部５に格納された画像形成用のデータは、所定の量が整えられると、画像形成部６により画像出力されることは既に述べた通りである。
【００１３】
また、再形成禁止手段である再形成禁止部７は、動作状態においては第１記憶部３または第２記憶部５に記憶された、画像形成の済んだ原稿の画像データを消去させるか、または、画像形成の済んだ該原稿の画像データに基く画像の再形成を禁止させている。画像の再形成を禁止させる場合には上記で述べた状態、即ち、原稿をコンタクトガラス１ａ上にセットしたまま、処理条件設定部２に設定されている処理条件の内容を変更し、操作部２２のスタートキー２２ｂ１を押下しても、第１記憶部３または第２記憶部５に記憶されている画像データに基づく画像が形成されないように画像形成部６に働きかけている。また、上記の再形成禁止部７は、操作部２２上にある図示しない所定の操作キーを押下することにより動作状態にすることが出来るようになっている。また、上記の再形成禁止部７は、画像を形成した原稿を操作することにより動作状態にすることが出来るようになっている。もし、原稿を操作することが、コンタクトガラス１ａ上にセットされた原稿や排紙台５７上に排出された原稿を取り出させることであれば、上述した原稿排出検知手段７の検知素子によって原稿が存在していないことを検出することによって可能となる。また、上記の再形成禁止部７は、原稿を操作するときに操作する必要のある器具を操作することにより動作状態にすることが出来るようになっている。例えば、図２において、原稿読み取りがコンタクトガラス１ａ上にセットされた場合、画像形成の済んだ該原稿を取り出すために原稿押え板２３を開いた時に、原稿を操作するときに操作する必要のある器具を操作したとして、再形成禁止部７を動作状態にする。これは、原稿押え版２３の動きを感知する図示しない開閉スイッチからの信号により再形成禁止部７を動作状態にすることが出来る。
【００１４】
また、図５は、本発明のデジタル複写機２０の主要動作を示したフロー図である。図において、スタートキー２２ｂ１の押下を待って（Ｓ１  Ｎｏ）、スタートキー２２ｂ１が押されると（Ｓ１  Ｙｅｓ）、第１記憶部３に既に画像形成済の原稿の画像データが記憶されているか否かが問われる（Ｓ２）。第１記憶部３に既に画像形成済の原稿の画像データが記憶されていなければ（Ｓ２  Ｎｏ）、ステップＳ６に進め、原稿読取部１から読み取るように設定されている原稿を読み取り、図４で示した主処理ルートに従い、読み取った原稿の画像データを処理条件設定部２で設定されている設定条件に基いた画像処理を施し、画像処理した画像データに応じた画像を出力し（Ｓ６）、本ルーチンを抜ける。また、ステップＳ２で第１記憶部３に既に画像形成済の原稿の画像データが記憶されていれば（Ｓ２  Ｙｅｓ）、処理条件設定部２に設定されている処理条件が変更されたか否かが問われる（Ｓ３）。処理条件の変更が無ければ（Ｓ３  Ｎｏ）、ステップＳ６に進め、原稿読取部１から原稿を読み取り、読み取った原稿の画像データを処理条件設定部２で設定されている設定条件に基いた画像処理を施し、画像処理した画像データに応じた画像を出力し（Ｓ６）、本ルーチンを抜ける。
また、ステップＳ３で処理条件が変更されていたならば（Ｓ３  Ｙｅｓ）、既に画像形成の済んだ原稿が操作されたか否かが問われる（Ｓ４）。画像形成の済んだ原稿が操作されていれば（Ｓ４  Ｙｅｓ）、同じくステップＳ６に進め、原稿読取部１から原稿を読み取り、読み取った原稿の画像データを処理条件設定部２で設定されている設定条件に基いた画像処理を施し、画像処理した画像データに応じた画像を出力し（Ｓ６）、本ルーチンを抜ける。また、ステップＳ４で画像形成の済んだ原稿が操作されていなければ（Ｓ４  Ｎｏ）、第１記憶部３に記憶されている原稿の画像データを新たに設定した設定条件に基いた画像処理を施し、画像処理した画像データに応じた画像を出力し（Ｓ５）、本ルーチンを抜ける。
【００１５】
【発明の効果】
以上のように請求項１の発明によれば、通常のコピー機能を用いてコピーを行なった後に、設定の不備や調整不足に気付いて再度設定し直してコピーを行なうときも、改めて原稿を読み取ることなく、既に記憶されている原稿の画像データに対し新たな設定条件による画像の形成が可能となったので、電力の無駄使いと原稿の劣化を防止した上、画像形成時間の短縮を図った画像形成装置を提供出来るようになった。請求項２の発明によれば、請求項１の画像形成装置の発明に加えて、再形成禁止手段によって、第１記憶手段または第２記憶手段に既に記憶されている画像データを消去させるか、または、前記第１記憶手段または前記第２記憶手段に既に記憶されている画像データに基いた画像の再形成を禁止させるようになったので、記憶されている原稿の画像データからの再コピーを防止して、機密保持を図った画像形成装置を提供出来るようになった。請求項３の発明によれば、請求項２の画像形成装置の発明に加えて、再形成禁止手段は、画像形成の済んだ原稿が原稿排出場所に存在しないことを原稿排出検知手段によって検知されることによって、第１記憶手段または第２記憶手段に既に記憶されている該原稿に対応した画像データを消去させるか、または、該原稿に対応した画像の再形成を禁止させるようになったので、原稿排出場所から取り去った原稿に対して記憶部の残存データからの再コピーを防止して、確実に機密保持を図った画像形成装置を提供出来るようになった。請求項４の発明によれば、請求項２の画像形成装置の発明に加えて、再形成禁止手段は、画像形成の済んだ原稿を操作するときに操作する必要のある器具を操作することによって、第１記憶手段または第２記憶手段に既に記憶されている該原稿に対応した画像データを消去させるか、または、該原稿に対応した画像の再形成を禁止させるようになったので、通常の操作の繰返しの中で記憶部の残存データからの再コピーを確実に防止して、機密保持を図った画像形成装置を提供出来るようになった。請求項５の発明によれば、請求項４の画像形成装置の発明に加えて、原稿を操作するときに操作する必要のある器具として、原稿押え板を操作することによって、記憶部の残存データからの再コピーを防止して、確実に機密保持を図った画像形成装置を提供出来るようになった。
【図面の簡単な説明】
【図１】本発明の実施例を示すデジタル複写機の主要部を示す側面図である。
【図２】図１に示す本発明のデジタル複写機の主要部を示した斜視図である。
【図３】図２に示す本発明のデジタル複写機における操作部の主要部を説明する説明図である。
【図４】本発明のデジタル複写機の主要部を示したブロック図である。
【図５】本発明のデジタル複写機の主要動作を示したフロー図である。
【符号の説明】
１  原稿読取部（原稿読取手段）、１ａ  コンタクトガラス、２  処理条件設定部（処理条件設定手段）、３  第１記憶部（第１記憶手段）、４  画像処理部（画像処理手段）、５  第２記憶部（第２記憶手段）、６  画像形成部（画像形成手段）、７  再形成禁止部（再形成禁止手段）、８  原稿排出検知手段、１１  原稿変更認識部、１２  入力切替部１３  設定変更検出部、２０  デジタル複写機、２２  操作部、２２ａ  液晶パネル、２２ｂ  操作キー、２３  原稿押え板、５０  自動原稿送り装置、５７  排紙台
【図１】
0004084510.tif 000002
【図２】
0004084510.tif 000003
【図３】
0004084510.tif 000004
【図４】
0004084510.tif 000005
【図５】
0004084510.tif 000006